(57)【要約】【課題】街路や公園などの土中における植物根がある方向に向かって生長する場合に、この植物根が所定域以上に張り出すことを防止しようとして、根張り防止体を土中に埋め込む作業をする場合、この作業が容易にできるようにする。【解決手段】根張り防止体１は、植物根Ａのある方向に向かっての生長を抑制する防根シート２と、剛性を有してこの防根シート２と重ね合わされる保形プレート３とを備える。防根シート２が保形プレート３に連結されて防根シート２が保形プレート３により所定形状に保持されるようにする。【選択図】    図１
2005013019.tif 000002
【特許請求の範囲】
【請求項１】
植物根のある方向に向かっての生長を抑制する防根シートと、剛性を有してこの防根シートと重ね合わされる保形プレートとを備え、上記防根シートが保形プレートに連結されて上記防根シートが上記保形プレートにより所定形状に保持されるようにした根張り防止体。
【請求項２】
互いに嵌合される内、外筒体を備え、これら内、外筒体のうち、いずれか一方を防根シート、他方を保形プレートで成形した請求項１に記載の根張り防止体。
【請求項３】
上記防根シートと保形プレートのうち、より直接的に植物根と対面する側に上記防根シートを配置するようにした請求項１、もしくは２に記載の根張り防止体。
【請求項４】
上記保形プレートに多数の通水孔を成形した請求項１から３のうちいずれか１つに記載の根張り防止体。
【発明の詳細な説明】
【０００１】
【発明が属する技術分野】
本発明は、街路や公園などの土中における植物根がある方向に向かって生長し、張り出す場合に、この植物根が所定域以上に張り出さないよう、この張り出しを防止する根張り防止体に関するものである。
【０００２】
【従来の技術】
【０００３】
街路や公園などの土中において、植物根の生長による張り出しを自由なままにしておくと、この植物根が所定域を超えて大きく張り出すことがある。このような場合には、植物根の周りにおける土壌や舗装が上記の張り出した植物根により押し上げられて、人や車両の往来に障害を生じさせることがある。また、上記植物根が土中に埋設された通水管や電線管などの埋設管に巻き付いたり、埋設管内に侵入したりして、その後の管工事の障害、通水、通電障害、管体破損を生じさせるおそれがある。
【０００４】
そこで、従来、植物根の張り出しを防止する根張り防止体を、上記植物根の周りの土中に埋め込み、これにより、上記植物根が所定域以上に張り出さないようにすることが行われている。
【０００５】
上記根張り防止体は、従来、シート材に植物根の忌避剤を付着させることにより成形された防根シートである。そして、植物根の周りの土中に上記防根シートを埋め込む作業をする場合には、具体的には、植え込みをしようとする、もしくは植え込んだ植物根の周りの地面に穴を掘り、この穴の内面が上記所定域の境界面となるようこの穴を成形する。次に、上記穴の内面に沿って防根シートを張り渡し、次に、上記穴を埋め戻せば、上記防根シートの土中への埋め込み作業が完了する。
【０００６】
【発明が解決しようとする課題】
ところで、上記根張り防止体は、一般に、その主体が布製の防根シートであって、この防根シート自体、所定の形状を保持することは困難である。このため、上記したように防根シートを土中に埋め込もうとして、穴の内面に沿って防根シートを張り渡そうとする時には、この防根シートにおける多くの部分を上記穴の内面に連結させることが要求される。
【０００７】
しかし、上記穴の内面には一般に大きい凹凸があり、また、穴の内面はもろいため、この穴の内面に防根シートの多くの部分を連結させるということは煩雑である。即ち、植物根が所定域以上に張り出すことを防止しようとして、根張り防止体を土中に埋め込む作業をする場合、この作業は煩雑となっている。
【０００８】
本発明は、上記のような事情に注目してなされたもので、街路や公園などの土中における植物根がある方向に向かって生長する場合に、この植物根が所定域以上に張り出すことを防止しようとして、根張り防止体を土中に埋め込む作業をする場合、この作業が容易にできるようにすることを課題とする。
【０００９】
【課題を解決するための手段】
上記課題を解決するための本発明の根張り防止体は、次の如くである。なお、この項において各用語に付記した符号は、本発明の技術的範囲を後述の「発明の実施の形態」の項の内容に限定解釈するものではない。
【００１０】
請求項１の発明は、植物根Ａのある方向に向かっての生長を抑制する防根シート２と、剛性を有してこの防根シート２と重ね合わされる保形プレート３とを備え、上記防根シート２が保形プレート３に連結されて上記防根シート２が上記保形プレート３により所定形状に保持されるようにしたものである。
【００１１】
請求項２の発明は、請求項１の発明に加えて、互いに嵌合される内、外筒体７，８を備え、これら内、外筒体７，８のうち、いずれか一方を防根シート２、他方を保形プレート３で成形したものである。
【００１２】
請求項３の発明は、請求項１、もしくは２の発明に加えて、上記防根シート２と保形プレート３のうち、より直接的に植物根Ａと対面する側に上記防根シート２を配置するようにしたものである。
【００１３】
請求項４の発明は、請求項１から３のうちいずれか１つの発明に加えて、上記保形プレート３に多数の通水孔５を成形したものである。
【００１４】
【発明の実施の形態】
以下、本発明の実施の形態を図面により説明する。
【００１５】
図１，２において、符号１は根張り防止体で、この根張り防止体１は、植物根Ａのある方向に向かっての生長を化学的に抑制するための忌避性能を有する防根シート２と、剛性を有してこの防根シート２と面接触状に重ね合わされる樹脂製の保形プレート３とを備えている。上記防根シート２の各部は上記保形プレート３に連結具４により連結されて、上記防根シート２が上記保形プレート３により所定形状に保持されるようになっている。
【００１６】
上記植物根Ａは樹木根、草根、竹笹根茎など地下を生長する植物の全てが含まれる。上記防根シート２は、ポリエステル長繊維不織布と、この不織布に付着させられた植物根Ａの忌避剤とを備えており、全体として屈曲や折り畳みが自由にできる可撓性を有している。
【００１７】
上記保形プレート３を水平な平坦面上に載置して自由状態にさせれば、この保形プレート３は、上記平坦面に沿って平坦に延びるよう屈曲可能である。また、この保形プレート３を軸心が鉛直方向に延びる筒形状に屈曲させて上記平坦面上に載置すれば、この保形プレート３は上記平坦面上に自立可能な剛性を有している。また、上記保形プレート３の上記軸心６周りの方向における長手方向の各部は弾性、もしくは塑性変形により任意に屈曲可能であり、更に、長手方向の寸法も切断などにより、自由に調整可能である。また、上記保形プレート３は多数の通水孔５を有して、全体的に通水、通気性を備えている。
【００１８】
上記連結具４は、防根シート２と保形プレート３とを互いに接着させる接着剤とされている。なお、上記連結具４は、上記防根シート２と保形プレート３の各外縁部同士を互いに結合させるクリップ、グロメット、コイル式縫合、ステープル、および面ファスナーなどであってもよい。
【００１９】
上記根張り防止体１につき、より具体的に説明すると、この根張り防止体１は、鉛直方向に延びる軸心６を有して互いに面接触するよう嵌合する円筒形状の内、外筒体７，８と、これら各筒体７，８を互いに結合させる上記連結具４と、上記各筒体７，８の上記軸心６周りの各端部を互いに着脱可能に結合させる面ファスナー製の結合具１０とを備え、上記内筒体７は防根シート２により成形され、外筒体８は保形プレート３により成形されている。
【００２０】
上記根張り防止体１は全体として円筒形状をなして、その軸心６が鉛直方向に延びている。この根張り防止体１の内筒体７の内部空間１２は植物根Ａを収容可能としており、この場合、上記防根シート２と保形プレート３のうち、より直接的に植物根Ａと対面する側に上記防根シート２が配置されることとなっている。
【００２１】
上記外筒体８は保形プレート３製であるため、その軸心６の周りの各部は弾性、もしくは塑性変形により任意に屈曲可能であり、かつ、上記各筒体７，８の上記軸心６周りの寸法は、これら各筒体７，８の各端部の重ね合わせ寸法を調整して結合したり、端部を切断することにより、自由に調整可能であり、つまり、上記根張り防止体１の平面視の形状、径寸法、面積は任意に設定可能である。
【００２２】
なお、図１中一点鎖線で示すように、上記内筒体７と互いに面接触するようこの内筒体７に嵌入される円筒形状の補強筒体１３を設けてもよく、この場合、上記外筒体８と補強筒体１３は、通水孔５を有する一枚の平坦形状の保形プレート３を二枚折りすることにより成形されている。このように保形プレート３を二枚折りした間に防根シート２を挟んで三枚重ね体とし、この三枚重ね体を円筒形状となるよう屈曲させ、その各端部を上記結合具１０により結合することにより、上記した円筒形状の根張り防止体１が成形されている。この場合、上記外筒体８と補強筒体１３は、その各下縁部が互いに一体成形されたものとされている。
【００２３】
上記構成によれば、防根シート２で成形された内筒体７は、保形プレート３で成形された外筒体８と補強筒体１３とで挟まれて所定形状に保持される。よって、連結具４がなくても、防根シート２と保形プレート３との互いの連結は全体的、かつ、強固になされ、また、上記保形プレート３は二重となるため、上記根張り防止体１の剛性が全体的に向上する。なお、上記補強筒体１３はなくてもよい。
【００２４】
街路や公園などの土中において、植物根Ａが、水平方向などのある方向に向かって生長し、張り出す場合に、この植物根Ａが所定域以上に張り出すことを防止しようとして、植物根Ａの周りの土中に根張り防止体１を埋め込む作業をする場合には、まず、植え込みをしようとする、もしくは植え込んだ植物根Ａの周りの地面Ｂに穴Ｃを掘り、この穴Ｃの内面が上記所定域の境界面となるようこの穴Ｃを成形する。次に、上記穴Ｃの内面に沿って根張り防止体１を張り渡し、次に、上記穴Ｃを埋め戻せば、上記根張り防止体１の土中への埋め込み作業が完了する。
【００２５】
上記埋め込み作業において、穴Ｃの内面に沿って根張り防止体１を張り渡す場合、上記したように、根張り防止体１の防根シート２は剛性を有していないが、この防根シート２は上記保形プレート３により所定形状に保持されるため、上記穴Ｃの内面に沿っての根張り防止体１の張り渡しは容易にでき、その分、上記埋め込み作業が容易にできることとなる。
【００２６】
また、前記したように、互いに嵌合される内、外筒体７，８を備え、これら内、外筒体７，８のうち、いずれか一方を防根シート２、他方を保形プレート３で成形している。
【００２７】
このため、上記したように根張り防止体１が、互いに嵌合される内、外筒体７，８を備え、全体として筒形状をなす場合には、この根張り防止体１はそれ自体の剛性が向上して、その形状が保持されることとなる。よって、上記根張り防止体１と穴Ｃの形状が互いに合致するようこれら各形状を定めれば、上記穴Ｃの内面に沿っての根張り防止体１の張り渡しは、上記穴Ｃに根張り防止体１を単に嵌入させることによって、極めて容易にでき、その分、上記埋め込み作業がより容易にできることとなる。
【００２８】
また、前記したように、防根シート２と保形プレート３のうち、より直接的に植物根Ａと対面する側に上記防根シート２を配置するようにしている。
【００２９】
このため、植物根Ａが所定域以上に張り出すことは、上記防根シート２によって、より確実に防止される。
【００３０】
また、前記したように、保形プレート３に多数の通水孔５を成形してある。
【００３１】
このため、上記防根シート２と保形プレート３のうち、より直接的に対面するものがいずれであるとしても、植物根Ａが上記通水孔５を通過して、所定域以上にまで張り出すことは、上記防根シート２によって防止される。よって、より直接的に植物根Ａと対面する側に防根シート２と保形プレート３のいずれを配置するかについては自由に選択できることから、その分、根張り防止体１の設置の自由度が向上して、上記埋め込み作業が更に容易にできる。
【００３２】
なお、図１中二点鎖線で示すように、根張り防止体１は、ほぼ円、角錐台筒体（倒立のものや、椀形状含む）であってもよい。
【００３３】
また、以上は図示の例によるが、上記防根シート２は織布でもよい。また、上記防根シート２はある方向に向かっての植物根Ａの生長を物理的に遮断するよう抑制するものであってもよい。また、上記保形プレート３に通水孔５は設けなくてもよい。また、上記根張り防止体１は内筒体７と外筒体８とによって、角筒形状などとしてもよい。また、上記外筒体８と補強筒体１３は互いに別体であってもよい。また、上記根張り防止体１の内部空間１２に通水管などを収容し、根張り防止体１の外部の植物根Ａが内部空間１２に向かって張り出さないようにしてもよい。
【００３４】
図３，４は、連結具４についての他の実施の形態を示している。
【００３５】
これによれば、上記連結具４は樹脂製で、この連結具４は、防根シート２と保形プレート３の各外縁部に沿って延びる可撓性枢支軸１５と、この枢支軸１５に多数枢支される一対の板材１６，１７と、一方の板材１６に突設され、他方の板材１７に成形された係止孔１８に係脱可能とされる係止突起１９とを備え、上記両板材１６，１７を回動させることにより、これら両板材１６，１７の間に上記防根シート２と保形プレート３の各外縁部を挟み付け、かつ、これら各外縁部に対し上記係止突起１９を貫通させて、上記係止孔１８に係止突起１９を係止させれば、上記防根シート２と保形プレート３の各外縁部が連結されるようになっている（図４中一点鎖線）。
【００３６】
図５は、連結具４についての更に他の実施の形態を示している。
【００３７】
これによれば、上記他の実施の形態における枢支軸１５に代えて、可撓性のチューブ２０が設けられ、このチューブ２０に上記各板材１６，１７がそれぞれ一体成形されている。また、上記板材１６の基部に切り欠き形状の屈曲促進部２１が成形され、この屈曲促進部２１を中心として上記板材１６が回動可能とされている。他の構成は上記他の実施の形態と同様である。
【００３８】
【発明の効果】
本発明による効果は、次の如くである。
【００３９】
請求項１の発明の根張り防止体は、植物根のある方向に向かっての生長を抑制する防根シートと、剛性を有してこの防根シートと重ね合わされる保形プレートとを備え、上記防根シートが保形プレートに連結されて上記防根シートが上記保形プレートにより所定形状に保持されるようにしてある。
【００４０】
上記根張り防止体により、街路や公園などの土中において、植物根がある方向に向かって生長する場合に、この植物根が所定域以上に張り出すことを防止しようとして、植物根の周りの土中に根張り防止体を埋め込む作業をする場合には、植え込みをしようとする、もしくは植え込んだ植物根の周りの地面に穴を掘り、この穴の内面が上記所定域の境界面となるようこの穴を成形する。次に、上記穴の内面に沿って根張り防止体を張り渡し、次に、上記穴を埋め戻せば、上記根張り防止体の土中への埋め込み作業が完了する。
【００４１】
上記埋め込み作業において、穴の内面に沿って根張り防止体を張り渡す場合、防根シートは剛性を有していないが、この防根シートは上記保形プレートにより所定形状に保持されるため、上記穴の内面に沿っての根張り防止体の張り渡しは容易にでき、その分、上記埋め込み作業が容易にできることとなる。
【００４２】
請求項２の発明は、互いに嵌合される内、外筒体を備え、これら内、外筒体のうち、いずれか一方を防根シート、他方を保形プレートで成形している。
【００４３】
このため、上記したように根張り防止体が、互いに嵌合される内、外筒体を備え、全体として筒形状をなす場合には、この根張り防止体はそれ自体の剛性が向上して、その形状が保持されることとなる。よって、上記根張り防止体と穴の形状が互いに合致するようこれら各形状を定めれば、上記穴の内面に沿っての根張り防止体の張り渡しは、上記穴に根張り防止体を単に嵌入させることによって、極めて容易にでき、その分、上記埋め込み作業がより容易にできることとなる。
【００４４】
請求項３の発明は、上記防根シートと保形プレートのうち、より直接的に植物根と対面する側に上記防根シートを配置するようにしている。
【００４５】
このため、植物根が所定域以上に張り出すことは、上記防根シートによって、より確実に防止される。
【００４６】
請求項４の発明は、上記保形プレートに多数の通水孔を成形してある。
【００４７】
このため、上記防根シートと保形プレートのうち、より直接的に対面するものがいずれであるとしても、植物根が上記通水孔を通過して、所定域以上にまで張り出すことは、上記防根シートによって防止される。よって、より直接的に植物根と対面する側に防根シートと保形プレートのいずれを配置するかについては自由に選択できることから、その分、根張り防止体の設置の自由度が向上して、上記埋め込み作業が更に容易にできる。
【図面の簡単な説明】
【図１】根張り防止体の側面部分断面図である。
【図２】根張り防止体の平面図である。
【図３】連結具についての他の実施の形態を示し、連結具の斜視図である。
【図４】連結具についての他の実施の形態を示し、連結具の正面図である。
【図５】連結具についての更に他の実施の形態を示し、図４に相当する図である。
【符号の説明】
１      根張り防止体
２      防根シート
３      保形プレート
４      連結具
５      通水孔
６      軸心
７      内筒体
８      外筒体
１０    結合具
１２    内部空間
Ａ      植物根
Ｂ      地面
Ｃ      穴
【図１】
2005013019.tif 000003
【図２】
2005013019.tif 000004
【図３】
2005013019.tif 000005
【図４】
2005013019.tif 000006
【図５】
2005013019.tif 000007